(57)【特許請求の範囲】
【請求項１】
サービスプロバイダーと、テレマティクスコントロールユニット（ＴＣＵ）と、サービスプロバイダーとＴＣＵとの通信を可能とする遠距離通信ネットワークとを備え、ＴＣＵはメンテナンスコールを処理するために動作することが可能なモデムを有するシステムにおいて、そのメンテナンスコールの処理の開始後にモデムの作動停止を制御する方法であって、
メンテナンスコールのコール種類を同定するために、メンテナンスコールからコール種類同定部を確定し、
そのメンテナンスコールの処理の開始後、同定されたコール種類に特有の許容実行時間だけ待機し、
その許容実行時間が経過した後に、モデムを作動停止にすることを特徴とするモデムの作動停止制御方法。
【請求項２】
さらに、許容実行時間のルックアップテーブルの索引としてコール種類同定部を用いることにより、同定されたコール種類に特有の許容実行時間を決定することを特徴とする請求項１に記載のモデムの作動停止制御方法。
【請求項３】
さらに、コール種類同定部に実行時間単位を乗じることによって、同定されたコール種類に特有の許容実行時間を決定することを特徴とする請求項１に記載のモデムの作動停止制御方法。
【請求項４】
さらに、メンテナンスコールにおいて、コール種類同定部とともに許容実行時間を受信することを特徴とする請求項１に記載のモデムの作動停止制御方法。
【請求項５】
さらに、メンテナンスコールの処理の開始を検出したときに、許容コール種類同定部受信時間だけ待機し、
コール種類同定部が決定される前に許容コール種類同定部受信時間が経過した場合には、モデムを作動停止にすることを特徴とする請求項１に記載のモデムの作動停止制御方法。
【請求項６】
メンテナンスコールのための許容実行時間が経過する前に、メンテナンスコールの処理が良好に完了されない場合、許容実行時間の経過後に、所定の時間間隔だけ待機し、その後、新たなメンテナンスコールの処理を開始することを特徴とする請求項１に記載のモデムの作動停止制御方法。
【請求項７】
さらに、許容実行時間更新メンテナンスコールを処理することによって、許容実行時間のルックアップテーブルを更新することを特徴とする請求項２に記載のモデムの作動停止制御方法。
【請求項８】
さらに、許容実行時間更新メンテナンスコールを処理することによって、実行時間単位を更新することを特徴とする請求項３に記載のモデムの作動停止制御方法。
【請求項９】
許容実行時間のルックアップテーブルを更新するステップにおいて、メンテナンスコールのための許容実行時間が経過する前に良好に完了されたメンテナンスコールの割合が所定の閾値よりも低い場合、ルックアップテーブルにおける許容実行時間を増加することを特徴とする請求項７に記載のモデムの作動停止制御方法。
【請求項１０】
実行時間単位を更新するステップにおいて、メンテナンスコールのための許容実行時間が経過する前に良好に完了されたメンテナンスコールの割合が所定の閾値よりも低い場合、実行時間単位を増加することを特徴とする請求項８に記載のモデムの作動停止制御方法。
【請求項１１】
さらに、１日における現在時刻に応じて許容実行時間を決定することを特徴とする請求項４に記載のモデムの作動停止制御方法。
【請求項１２】
さらに、コール種類同定部と１日の現在時刻を、許容実行時間のルックアップテーブルのセットに対する索引として用いることにより、同定されたコール種類に特有の許容実行時間を決定するものであり、各ルックアップテーブルは、一日の特定の時間帯に対応することを特徴とする請求項１に記載のモデムの作動停止制御方法。
【請求項１３】
さらに、コール種類同定部に１日の現在時刻に特有の実行時間単位を乗じることによって、同定されたコール種類に特有の許容実行時間を決定することを特徴とする請求項１に記載のモデムの作動停止制御方法。
【請求項１４】
さらに、ＴＣＵの現在位置に応じて許容実行時間を決定することを特徴とする請求項４に記載のモデムの作動停止制御方法。
【請求項１５】
さらに、コール種類同定部とＴＣＵの現在位置を、許容実行時間のルックアップテーブルのセットに対する索引として用いることにより、同定されたコール種類に特有の許容実行時間を決定するものであり、各ルックアップテーブルは、特定の地理的なエリアに対応することを特徴とする請求項１に記載のモデムの作動停止制御方法。
【請求項１６】
さらに、コール種類同定部に、ＴＣＵの現在位置を包含する地理的なエリアに特有の実行時間単位を乗じることによって、同定されたコール種類に特有の許容実行時間を決定することを特徴とする請求項１に記載のモデムの作動停止制御方法。
【請求項１７】
さらに、通信のために現在使用されている遠距離通信ネットワークに応じて許容実行時間を決定することを特徴とする請求項４に記載のモデムの作動停止制御方法。
【請求項１８】
さらに、コール種類同定部と通信のために現在使用されている遠距離通信ネットワークを、許容実行時間のルックアップテーブルのセットに対する索引として用いることにより、同定されたコール種類に特有の許容実行時間を決定するものであり、各ルックアップテーブルは、特定の遠距離通信ネットワークに対応することを特徴とする請求項１に記載のモデムの作動停止制御方法。
【請求項１９】
さらに、コール種類同定部に、通信のために現在使用されている遠距離通信ネットワークに特有の実行時間単位を乗じることによって、同定されたコール種類に特有の許容実行時間を決定することを特徴とする請求項１に記載のモデムの作動停止制御装置。
【請求項２０】
さらに、ＴＣＵによって測定された受信信号の強度に応じて、許容実行時間を決定することを特徴とする請求項４に記載のモデムの作動停止制御方法。
【請求項２１】
さらに、コール種類同定部とＴＣＵによって測定された受信信号の強度を、許容実行時間のルックアップテーブルのセットに対する索引として用いることにより、同定されたコール種類に特有の許容実行時間を決定するものであり、各ルックアップテーブルは、特定の受信信号の強度範囲に対応することを特徴とする請求項１に記載のモデムの作動停止制御方法。
【請求項２２】
さらに、コール種類同定部に、ＴＣＵによって測定された受信信号の強度に特有の実行時間単位を乗じることによって、同定されたコール種類に特有の許容実行時間を決定することを特徴とする請求項１に記載のモデムの作動停止制御方法。
【請求項２３】
さらに、ＴＣＵの送信パワーに応じて許容実行時間を決定することを特徴とする請求項４に記載のモデムの作動停止制御方法。
【請求項２４】
さらに、コール種類同定部とＴＣＵの送信パワーを、許容実行時間のルックアップテーブルのセットに対する索引として用いることにより、同定されたコール種類に特有の許容実行時間を決定するものであり、各ルックアップテーブルは、特定の送信パワーの範囲に対応することを特徴とする請求項１に記載のモデムの作動停止制御方法。
【請求項２５】
さらに、コール種類同定部に、ＴＣＵの送信パワーに特有の実行時間単位を乗じることによって、同定されたコール種類に特有の許容実行時間を決定することを特徴とする請求項１に記載のモデムの作動停止制御方法。
【請求項２６】
遠距離通信ネットワークを介してサービスプロバイダーと通信するためのテレマティクスコントロールユニット（ＴＣＵ）であって、
メンテナンスコールを処理するために動作することが可能なモデムと、
メンテナンスコールのコール種類を同定するために、メンテナンスコールからコール種類同定部を確定し、
そのメンテナンスコールの処理の開始後、同定されたコール種類に特有の許容実行時間だけ待機し、
その許容実行時間が経過した後に、モデムを作動停止にするようにプログラムされたＴＣＵプロセッサーとを備えることを特徴とするテレマティクスコントロールユニット。
【請求項２７】
さらに、ＴＣＵプロセッサーは、許容実行時間のルックアップテーブルの索引としてコール種類同定部を用いることにより、同定されたコール種類に特有の許容実行時間を決定するようにプログラムされていることを特徴とする請求項２６に記載のテレマティクスコントロールユニット。
【請求項２８】
さらに、ＴＣＵプロセッサーは、コール種類同定部に実行時間単位を乗じることによって同定されたコール種類に特有の許容実行時間を決定するようにプログラムされていることを特徴とする請求項２６に記載のテレマティクスコントロールユニット。
【請求項２９】
さらに、ＴＣＵプロセッサーは、メンテナンスコールにおいて、コール種類同定部とともに許容実行時間を受信するようにプログラムされていることを特徴とする請求項２６に記載のテレマティクスコントロールユニット。
【請求項３０】
さらに、ＴＣＵプロセッサーは、
メンテナンスコールの処理の開始を検出したときに、許容コール種類同定部受信時間だけ待機し、
コール種類同定部が決定される前に許容コール種類同定部受信時間が経過した場合には、モデムを作動停止にするようにプログラムされていることを特徴とする請求項２６に記載のテレマティクスコントロールユニット。
【請求項３１】
メンテナンスコールのための許容実行時間が経過する前に、メンテナンスコールの処理が良好に完了されない場合、ＴＣＵプロセッサーは、許容実行時間の経過後に、所定の時間間隔だけ待機し、その後、新たなメンテナンスコールの処理を開始するようにプログラムされていることを特徴とする請求項２６に記載のテレマティクスコントロールユニット。
【請求項３２】
さらに、ＴＣＵプロセッサーは、許容実行時間更新メンテナンスコールを処理することによって、許容実行時間のルックアップテーブルを更新するようにプログラムされていることを特徴とする請求項２７に記載のテレマティクスコントロールユニット。
【請求項３３】
さらに、ＴＣＵプロセッサーは、許容実行時間更新メンテナンスコールを受信し、処理することによって、実行時間単位を更新するようにプログラムされていることを特徴とする請求項２８に記載のテレマティクスコントロールユニット。
【請求項３４】
さらに、ＴＣＵプロセッサーは、メンテナンスコールのための許容実行時間が経過する前に良好に完了されたメンテナンスコールの割合が所定の閾値よりも低い場合、ルックアップテーブルにおける許容実行時間を増加するようにプログラムされていることを特徴とする請求項３２に記載のテレマティクスコントロールユニット。
【請求項３５】
さらに、ＴＣＵプロセッサーは、メンテナンスコールのための許容実行時間が経過する前に良好に完了されたメンテナンスコールの割合が所定の閾値よりも低い場合、実行時間単位を増加するようにプログラムされていることを特徴とする請求項３３に記載のテレマティクスコントロールユニット。
【請求項３６】
さらに、ＴＣＵプロセッサーは、コール種類同定部と１日の現在時刻を、許容実行時間のルックアップテーブルのセットに対する索引として用いることにより、同定されたコール種類に特有の許容実行時間を決定し、かつ、各ルックアップテーブルは、一日の特定の時間帯に対応するようにプログラムされていることを特徴とする請求項２６に記載のテレマティクスコントロールユニット。
【請求項３７】
さらに、ＴＣＵプロセッサーは、コール種類同定部に１日の現在時刻に特有の実行時間単位を乗じることによって、同定されたコール種類に特有の許容実行時間を決定するようにプログラムされていることを特徴とする請求項２６に記載のテレマティクスコントロールユニット。
【請求項３８】
さらに、ＴＣＵプロセッサーは、コール種類同定部とＴＣＵの現在位置を、許容実行時間のルックアップテーブルのセットに対する索引として用いることにより、同定されたコール種類に特有の許容実行時間を決定し、かつ、各ルックアップテーブルは、特定の地理的なエリアに対応するようにプログラムされていることを特徴とする請求項２６に記載のテレマティクスコントロールユニット。
【請求項３９】
さらに、ＴＣＵプロセッサーは、コール種類同定部に、ＴＣＵの現在位置を包含する地理的なエリアに特有の実行時間単位を乗じることによって、同定されたコール種類に特有の許容実行時間を決定するようにプログラムされていることを特徴とする請求項２６に記載のテレマティクスコントロールユニット。
【請求項４０】
さらに、ＴＣＵプロセッサーは、コール種類同定部とＴＣＵによって現在使用されている遠距離通信ネットワークを、許容実行時間のルックアップテーブルのセットに対する索引として用いることにより、同定されたコール種類に特有の許容実行時間を決定し、かつ、各ルックアップテーブルは、特定の遠距離通信ネットワークに対応するようにプログラムされていることを特徴とする請求項２６に記載のテレマティクスコントロールユニット。
【請求項４１】
さらに、ＴＣＵプロセッサーは、コール種類同定部に、ＴＣＵによって現在使用されている遠距離通信ネットワークに特有の実行時間単位を乗じることによって、同定されたコール種類に特有の許容実行時間を決定するようにプログラムされていることを特徴とする請求項２６に記載のテレマティクスコントロールユニット。
【請求項４２】
さらに、ＴＣＵプロセッサーは、コール種類同定部とＴＣＵによって測定された受信信号の強度を、許容実行時間のルックアップテーブルのセットに対する索引として用いることにより、同定されたコール種類に特有の許容実行時間を決定し、かつ、各ルックアップテーブルは、特定の受信信号の強度範囲に対応するようにプログラムされていることを特徴とする請求項２６に記載のテレマティクスコントロールユニット。
【請求項４３】
さらに、ＴＣＵプロセッサーは、コール種類同定部に、ＴＣＵによって測定された受信信号の強度に特有の実行時間単位を乗じることによって、同定されたコール種類に特有の許容実行時間を決定するようにプログラムされていることを特徴とする請求項２６に記載のテレマティクスコントロールユニット。
【請求項４４】
さらに、ＴＣＵプロセッサーは、コール種類同定部とＴＣＵの送信パワーを、許容実行時間のルックアップテーブルのセットに対する索引として用いることにより、同定されたコール種類に特有の許容実行時間を決定し、かつ、各ルックアップテーブルは、特定の送信パワーの範囲に対応するようにプログラムされていることを特徴とする請求項２６に記載のテレマティクスコントロールユニット。
【請求項４５】
さらに、ＴＣＵプロセッサーは、コール種類同定部に、ＴＣＵの送信パワーに特有の実行時間単位を乗じることによって、同定されたコール種類に特有の許容実行時間を決定するようにプログラムされていることを特徴とする請求項２６に記載のテレマティクスコントロールユニット。
【請求項４６】
遠距離通信ネットワークを介してテレマティクスコントロールユニット（ＴＣＵ）と共働してメンテナンスコールを処理するテレマティクスサービスシステムであって、
ＴＣＵは、メンテナンスコールのコール種類に特有の許容実行時間を決定し、かつメンテナンスコールを受信した後にモデムの作動停止を制御するためのコール種類同定部を含むメンテナンスコールを受信するために動作することが可能なモデムを有し、
前記テレマティクスサービスシステムは、モデムの作動停止の制御を補助するものであり、当該テレマティクスサービスシステムは、メンテナンスコールのコール種類を同定するためのコール種類同定部を含むメンテナンスコールを送信するようにプログラムされたテレマティクスサービスシステムプロセッサーを備えることを特徴とするテレマティクスサービスシステム。
【請求項４７】
さらに、テレマティクスサービスシステムプロセッサーは、メンテナンスコールにおいて、コール種類同定部とともに許容実行時間を送信するようにプログラムされていることを特徴とする請求項４６に記載のテレマティクスサービスシステム。
【請求項４８】
さらに、テレマティクスサービスシステムプロセッサーは許容実行時間が経過する前に、メンテナンスコールの処理が良好に完了されない場合、許容実行時間の経過後に、所定の時間間隔だけ待機した後に、新たなメンテナンスコールがＴＣＵに送信されるようにプログラムされていることを特徴とする請求項４６に記載のテレマティクスサービスシステム。
【請求項４９】
さらに、ＴＣＵは、許容実行時間のルックアップテーブルの索引としてコール種類同定部を用いることにより、同定されたコール種類に特有の許容実行時間を決定するものであり、テレマティクスサービスシステムプロセッサーは、許容実行時間のルックアップテーブルを更新するための許容実行時間更新メンテナンスコールをＴＣＵに送信するようにプログラムされていることを特徴とする請求項４６に記載のテレマティクスサービスシステム。
【請求項５０】
さらに、ＴＣＵは、コール種類同定部に実行時間単位を乗じることによって、同定されたコール種類に特有の許容実行時間を決定するものであり、テレマティクスサービスシステムプロセッサーは、実行時間単位を更新するための許容実行時間更新メンテナンスコールをＴＣＵに送信するようにプログラムされていることを特徴とする請求項４６に記載のテレマティクスサービスシステム。
【請求項５１】
前記許容実行時間更新メンテナンスコールは、メンテナンスコールのための許容実行時間が経過する前に良好に完了されたメンテナンスコールの割合が所定の閾値よりも低い場合、ルックアップテーブルにおける許容実行時間を増加することを特徴とする請求項４９に記載のテレマティクスサービスシステム。
【請求項５２】
前記許容実行時間更新メンテナンスコールは、許容実行時間が経過する前に良好に完了されたメンテナンスコールの割合が所定の閾値よりも低い場合、実行時間単位を増加することを特徴とする請求項５０に記載のテレマティクスサービスシステム。
【請求項５３】
さらに、テレマティクスサービスシステムプロセッサーは、メンテナンスコールにおいてコール種類同定部とともに送信される許容実行時間を、メンテナンスコールが送信される時の１日の内の時刻に応じて決定するようにプログラムされていることを特徴とする請求項４７に記載のテレマティクスサービスシステム。
【請求項５４】
さらに、テレマティクスサービスシステムプロセッサーは、メンテナンスコールにおいてコール種類同定部とともに送信される許容実行時間を、メンテナンスコールが送信される時におけるＴＣＵの位置に応じて決定するようにプログラムされていることを特徴とする請求項４７に記載のテレマティクスサービスシステム。
【請求項５５】
さらに、テレマティクスサービスシステムプロセッサーは、メンテナンスコールにおいてコール種類同定部とともに送信される許容実行時間を、メンテナンスコールが送信される時におけるテレマティクスサービスシステムによって使用されている遠距離通信ネットワークに応じて決定するようにプログラムされていることを特徴とする請求項４７に記載のテレマティクスサービスシステム。
【請求項５６】
さらに、テレマティクスサービスシステムプロセッサーは、メンテナンスコールにおいてコール種類同定部とともに送信される許容実行時間を、ＴＣＵによって測定される受信信号の強度に応じて決定するようにプログラムされていることを特徴とする請求項４７に記載のテレマティクスサービスシステム。
【請求項５７】
さらに、テレマティクスサービスシステムプロセッサーは、メンテナンスコールにおいてコール種類同定部とともに送信される許容実行時間を、ＴＣＵの送信パワーに応じて決定するようにプログラムされていることを特徴とする請求項４７に記載のテレマティクスサービスシステム。
【発明の詳細な説明】
（発明の技術分野）
本発明は、遠距離通信モデムに関し、具体的には、電力消費を低減するために遠距離通信モデムの作動停止を制御するための方法及び装置に関する。
【０００１】
（関連技術の説明）
セルラー通信ネットワークは、現代社会において、急速に、通信を可能とするための最も重要な通信基盤（インフラ）となりつつある。セルラー通信に対する需要は増加しており、セルラー通信ネットワークはますます普及し、広い通信エリアをカバーしつつある。セルラー通信ネットワークは、個人的もしくはビジネスの通話ような音声通信のための手段を提供するよりも、今や、データ通信や緊急通報を行なうために利用されている。移動体通信技術は、自動車や船舶のような乗り物に搭載され、本出願においてテレマティクスコントロールユニット（ＴＣＵ）として定義される移動通信デバイスを含むまで適用範囲が広げられている。
【０００２】
セルラー電話を利用することによって、これらＴＣＵは、セルラー通信ネットワークにおける基地局／セクターと通信して、乗り物へテレマティクス機能を提供する。そのテレマティクス機能としては、限定されるものでは無いが、例えば、車両の追跡及び位置の特定、オンラインナビゲーション、緊急時の路上アシスタンス、遠隔的なエンジンの診断、盗難車の追跡、娯楽的なサービス、情報サービス、インターネットやＥメールのアクセス、事故が発生したときの自動緊急通報、遠隔的なドアのアンロック操作、通話およびボイスメール（留守番電話）サービス、交通情報の提供などである。これらテレマティクス機能は、通常、セルラー通信ネットワークを介してＴＣＵと接続されるサービスプロバイダーセンターによって提供される。
【０００３】
図１は、車両１０がセルラー通信ネットワーク２２によってサービスが提供される地理的エリアを動きまわる時、あるいはそのネットワーク２２内のある地理的な位置に停止した時に、セルラー通信ネットワーク２２との接続３４を維持することが可能なＴＣＵ３０を備えた車両１０の一例を示すものである。ここで、接続３４は、本明細書で記載されているものとして、限定されるものでは無いが、音声、ビデオやオーディオのマルチメディアストリーミング、パケット交換データ及び回線交換データ通信、ショートメッセージシーケンス、データバースト、ページングを含むものである。
【０００４】
セルラー通信ネットワーク２２は、セクター１４、１６を介して通信する第１基地局１２と、セクター２０を介して通信する第２基地局１８を含んでいる。基地局は、一般的に、複数のセクター、通常、３つのセクターを有している。それぞれの基地局は、セクターごとに、そのセクターの方向に指向された、別個の送信機およびアンテナ（トランシーバー）を有している。ここで、基地局は、総称であったり、セクター化され得るものであるため、基地局とセクターとの用語は、交換可能に用いられることを理解すべきである。複数の基地局は、基地局制御局（ＢＳＣ）２４を含んだネットワーク統合基盤に接続されており、基地局制御局２４は、セルクラスター２６を制御するとともに、移動局交換センター２８と通信する。
【０００５】
ここで、一つもしくはそれ以上のネットワーク統合基盤は、ＴＣＵ３０とネットワーク２２との間のセルラー通信を制御する一つもしくはそれ以上のプロセッサーを含むことが理解されるべきである。プロセッサーは、当業者に良く知られているようにメモリ及び他の周辺装置を含むものである。さらに、サービスプロバイダー３２は、ネットワーク２２を通じてＴＣＵ３０と通信するために、移動局交換センター２８に接続されている。サービスプロバイダー３２は、図１では一つのブロックとして図示されているが、サービスプロバイダー３２は、実際には様々なネットワーク上もしくは地理的エリアに分配して配置された多数のサービスセンターによってテレマティクスサービスシステムを構成することができることを理解すべきである。サービスプロバイダー３２は、ネットワーク２２を通じてＴＣＵ３０との通信を制御する、一つもしくはそれ以上のテレマティクスシステムプロセッサーを含んでいる。
【０００６】
図２の例に示されるように、ＴＣＵ３０は、プロセッサー７２、メモリ６８、アンテナ５６、ＴＣＵトランシーバー５８、モデム６０、グローバルポジショニングシステム（ＧＰＳ）の受信機６２、およびドアロックや、車両の音響システムなどのような車両機能を制御するための、車両側のインターフェイス６６を含んでいる。ＴＣＵトランシーバー５８は、ＧＳＭ、ＣＤＭＡ、ＴＣＳ、ＡＭＰＳ、ＴＤＭＡ、ＦＤＭＡのような通信プロトコルの、一つもしくはそれ以上に対応するように構成されることができる。プロセッサー７２とメモリ６８とは、図２では異なるブロックで記載されているが、本明細書におけるＴＣＵ３０は、図２では示されていないが当業者に良く知られている、プロセッサー，メモリ及び周辺装置の異なるタイプの構成も含むことが理解されるべきである。
【０００７】
ＴＣＵ３０とネットワーク２２とは、チャンネルを使って通信する。これらのチャンネルにおける情報は、セルラー通信サービスのタイプや、特有の符号化体系に従って、モデム６０にて変調および復調される。
【０００８】
時分割多重アクセス（ＴＤＭＡ）においては、多重チャンネルは、ある期間内において異なるタイミングで送信を行なうことにより、その期間内においては特定の周波数で通信がなされる。例えば、チャンネルＸは、タイムスロットの１セットを使用しながら、チャンネルＹは、タイムスロットの異なるセットを使用する。周波数分割多重アクセス（ＦＤＭＡ）では、多重チャンネルは、ある期間内において異なる周波数を使用して送信を行なうことにより、同時に通信がなされる。
【０００９】
コード分割多重アクセス（ＣＤＭＡ）は、一意的なコードシーケンスの使用を通じてチャンネルを作り出すスペクトル拡散多重アクセスディジタル通信に関する技術である。これは、複数のＴＣＵが、同じ周波数を同時に用いつつ、１つもしくはそれ以上の基地局と通信することを可能とするものである。ＣＤＭＡにおいては、周波数と時間のスペースが与えられ、各チャンネルは、ウォルシュコードや擬似的な直交関数（ＱＯＦ）のような特有の直交コードが割り当てられる。ダイレクトシークエンスＣＤＭＡでは、各チャンネルからのデータは、ウォルシュコードもしくはＱＯＦを用いて符号化され、そして、１つの合成信号に組み合わされる。この合成信号は、特定の時間において、広い周波数レンジに拡散される。この合成信号は、オリジナルデータを拡散するために利用したのと同じコードを用いて収束された時に、そのオリジナルデータが抽出される。ウォルシュコードとＱＯＦが、組み合わされる際に互いに干渉しない符号化データを生成するので、オリジナルデータの回復は可能である。それにより、データは種々のチャンネルにおける情報を回復するために、後に分離されることができる。換言すれば、２つの符号化されたデータシーケンスが第３のシーケンスを生成するために一緒に加えられたとき、オリジナルコードと第３のシーケンスとを相互に関係付けることによってオリジナルシーケンスを回復することができる。特有のコードで復調するとき、他のコードに関する情報は必要ではない。
【００１０】
ＣＤＭＡシステムにおいては、高レベルの狭帯域あるいは広帯域での混信の存在下においても信号を受信することが可能である。信号受信の実用的な限界は、チャンネル状態と混信のレベルに依存する。混信の種類としては、ＴＣＵにおいて発生する自己混信やノイズ以外に、同一または他のセルサイトにおいて他のＴＣＵやセルラー通信デバイスに対して及びそれらから送信される信号がマルチパスチャンネルを通して伝達されるときに発生するものを含む。これらのノイズや混信は、実際に送信された信号を決定するためにエラー補正が必要となる。
【００１１】
ＣＤＭＡ無線通信システムは下記の標準によって詳しく説明されており、その標準は全て TELECOMMUNICATIONS INDUSTRY ASSOCIATION, Standards & Technology Department, 2500 Wilson Blvd., Arlington, VA 22201 によって公表されており、それらの全てが参照によりここに援用される：TIA/EIA-95A (１９９３年公表)；TIA/EIA-95B (１９９９年２月１日公表)；TIA/EIA-9８D (２００１年６月１日公表)；WCDMA standards 3GPP TS 25.214 V4.2.0 (２００１年９月公表)、TS 25.401 V5.1.0 (２００１年９月公表)、TS 25.331 V4.2.0 (２００１年１０月８日公表)、TR 25.922 V4.1.0 (２００１年１０月２日公表)。
【００１２】
上述のように、サービスプロバイダー３２とＴＣＵ３０との間での利用できる通信機能の一つとして、緊急時の路上アシスタンスや、事故が発生したときの自動緊急通報等が挙げられる。例えば、もし、車両１０が、図３の時刻３６に、車両１０のイグニッションスイッチがオンであるときに事故に巻き込まれ、エアバッグが起動されたとすると、車両内のＴＣＵ３０は、自動的にモデム６０を起動し、時刻３８にてネットワーク２２との接続セッションを開始する。そして、この接続セッションの確立の成功に基づき、サービスプロバイダー３２は、接続フレーム４０を送信することによって、ＴＣＵ３０と通信することを試みる。この接続フレーム４０が適正に受信された場合、ＴＣＵ３０は、ＧＰＳ受信機６２から得られる車両１０の位置データ、その車両１０のＩＤ番号（ＶＩＤ）、及びその他の情報を含むデータ４２を送信することによって応答する。これらのデータ４２は、たとえ乗員が応答することができない場合であっても、サービスプロバイダー３２によって基本的な情報が受信できることを保証するために、車両１０の乗員がなんら操作を行なうことなく、ＴＣＵ３０によって自動的に与えられる。そのデータ４２を受信した後に、サービスプロバイダー３２は、音声モード４４に移行し、サービスプロバイダー３２のオペレータが車両１０の乗員と音声通話を試みる。その後、追加のデータ４６が、所定のインターバルでもしくはサービスプロバイダー３２からのリクエストに基づいて、サービスプロバイダー３２に送信される。この追加のデータ４６は、例えば、更新された位置データや、遠隔からのエンジン診断のための情報を含んでいる。
【００１３】
上述した通信シーケンスは、車両１０のイグニッションスイッチがオンのときのオンモードを想定したものである。なぜなら、車両１０のイグニッションがオンのときに、エアバックが起動され、緊急通報シーケンスも開始されるためである。イグニッションオンの指定は、仮にアクシデントの結果として、車両１０のイグニッションがオフされたとしても保持される。一般的に、イグニッションがオンであるときはいつでも、車両の電源に関して何ら問題がないため、モデム６０は無期限に動作状態に保持される。つまり、イグニッションがオンであれば、車両エンジンが駆動され、発電機が動作するため、車両のバッテリからモデム６０へ電源が供給されたとしても、電源に関して特に問題は生じない。事故が発生し、突然のイグニッションスイッチの損失が起こったときには、モデム６０は、動作状態を維持し、安全を確保するために、コネクトフレーム４０の受信を待機する待受状態となる。
【００１４】
サービスプロバイダー３２とＴＣＵ３０との通信は、車両１０のイグニッションスイッチがオフされたとき（イグニッションオフモード）にも行なわれる。例えば、乗員が車両１０のキーを車内に閉じ込めてしまった場合、その乗員は、サービスプロバイダー３２に電話をして、車両１０のドアをアンロックするために車両１０のＴＣＵ３０と通信を開始するよう依頼する。電話帳をダウンロードしたり、ローミングリストを更新したりする等の他のタスクも、イグニッションオフの間に実行される。
【００１５】
これらのイグニッションオフにおけるタスクを行なうためには、サービスプロバイダー３２とＴＣＵ３０との間でデータ通信が必要となり、ここでは、このようなデータ通信をメンテナンスコールと呼ぶこととする。メンテナンスコールは、ＴＣＵ３０へ送信されたショートメッセージサービス（ＳＭＳ）メッセージのような通信形態において、サービスプロバイダー３２によってトリガを与えることができる。例えば、ＳＭＳメッセージの受信に基づいて、ＴＣＵ３０は、サービスプロバイダー３２に対してメンテナンスコールの発信を開始する。一旦、接続が確立されたならば、ＴＣＵ３０とサービスプロバイダー３２は、メンテナンスコールを処理し、望ましいメンテナンスタスクを実行するために、データや指示を必要に応じて通信する。
【００１６】
あるいは、サービスプロバイダー３２が直接、ＴＣＵ３０にメンテナンスコールを発信しても良い。メンテナンスコールは、サービスプロバイダー３２に送信されたＳＭＳメッセージの形態において、ＴＣＵ３０によってトリガを与えることもできる。ＳＭＳメッセージの受信に基づいて、サービスプロバイダー３２は、メンテナンスコールをＴＣＵ３０に発信する。さらに、ＴＣＵ３０は、直接、サービスプロバイダー３２にメンテナンスコールを発信することもできる。他のプロトコルも、メンテナンスコールを発信するために使用することが可能である。
【００１７】
ＴＣＵ３０は、セルラートランシーバー５８が動作している期間以外では、なんらメッセージや呼び出しを受信することはもちろん送信することもできない。イグニッションオフモードでは、ＴＣＵ３０のセルラートランシーバー５８は、周期的に起動され動作状態となる。動作状態の間は、トランシーバー５８は、メンテナンスコールを発信するためにＴＣＵ３０に向けられたＳＭＳメッセージ、もしくはサービスプロバイダー３２から直接送信されたメンテナンスコールのような、サービスプロバイダー３２からＴＣＵ３０に送信された、なんらかの通信を受信しようと試みる。モデム６０を含む、他の全てのＴＣＵ３０の構成部品は、過度のバッテリ消費を抑制するために、オフ状態に維持される。図４には、トランシーバー５８の周期的な起動の一例が示されている。時刻４８にて、イグニッションがオフされたとき、セルラートランシーバー５８は、延長された待受期間であるＸ時間（参照番号５０を参照）の間、動作状態を維持し、その後、Ｙ分（参照番号５２を参照）だけオフされ、その後、再び、短い待受期間であるＺ分（参照番号５４を参照）の間、オンされる。このＹ、Ｚのパターンは、その後、繰り返される。ここで、注目すべき点は、Ｙは、一般的にＺより非常に長い時間ということである。繰り返されるＹ、Ｚパターンは、所定の数日間といったような、予め設定された所定期間だけ継続される。ただし、その所定期間の間に、イグニッションがオンされないと、このパターンは終了し、トランシーバー５８は、イグニッションが新たにオンされない限り、再び動作状態となることは無い。
【００１８】
延長された待受期間５０は、繰り返されるＹＺパターンに優先するものとみなすことができ、それは顧客の利便性のために設けられている。例えば、運転者が１時間だけ車両を離れ、キーが車室内に閉じ込められたことを認識してサービスプロバイダー３２に通報した場合、トランシーバー５８が再び動作状態となり、ドアをアンロックするために、サービスプロバイダー３２にメンテナンスコールを発信するようにＴＣＵ３０に指示するＳＭＳメッセージをＴＣＵ３０が受信できるまでに、Ｙ分だけ待たなければならないとすると運転者は不便である。トランシーバー５８の起動のために繰り返されるＹＺパターンは、ＴＣＵ３０がサービスプロバイダー３２からの通信を受信する周期的な機会を提供しつつ、ＴＣＵ３０に割り当てられた電力消費分を最小にするために設けられている。例えば、オフ期間にＳＭＳメッセージを介してサービスプロバイダー３２によって開始されるメンテナンスコールは即座に対応される必要はなく、そのＳＭＳメッセージは、短い待受期間５４の１つにおいてＴＣＵ３０のトランシーバー５８によって受信されることを保証するためにＺ分よりも短い間隔で繰り返しサービスプロバイダー３２によって送信される。
【００１９】
トランシーバー５８が起動されている期間において、サービスプロバイダー３２はいくつかの方法でＴＣＵ３０と通信することができる。上述したように、ＴＣＵ３０は、ネットワーク２２を介して、メンテナンスコールを発信することをＴＣＵ３０に指示するＳＭＳメーセージをサービスプロバイダー３２から受信することができる。もしくは、ＴＣＵ３０は、ネットワーク２２を介して、メンテナンスコールを発信することをＴＣＵ３０に指示するコールバックシーケンスをサービスプロバイダー３２から受信することができる。コールバックシーケンスとは、特定の期間内に二度の到来コールを受信するものである。そのような２つの方法を用いる理由は、ＡＭＰＳネットワークにおいては、ＳＭＳサービスが望ましいサービスエリアに渡って十分にサポートされておらず、そのため、コールバックシーケンスが送信されなければならない場合が生じるためである。いずれのケースにおいても、ＴＣＵ３０は、モデム６０をオンし、メンテナンスコールを発信するために、サービスプロバイダー３２に対して接続要求を開始することによって応答する。
【００２０】
接続の確立に基づいて、例えばドアをアンロックしたり、接続要求を行なう際にＴＣＵ３０によって利用されるべき好ましいネットワークのリストであるローミングリスト（ＰＲＬ）を受信したりすることをＴＣＵ３０に指示するデータが、サービスプロバイダー３２から受信される。ＴＣＵ３０内においては、電話帳、サービスプロバイダー３２を呼び出すために使用される呼び出し番号リスト等の他の情報が更新される。
【００２１】
トランシーバー５８が起動されている期間において、ＴＣＵ３０はサービスプロバイダー３２から直接メンテナンスコールを受信することもできる。しかしながら、メンテナンスコールがＴＣＵ３０において受信される前に、ＴＣＵ３０は、メンテナンスコールのスタートを検出し、モデム６０をオンしなければならない。一旦、モデム６０がオンされると、各種のメンテナンスタスクを実行することをＴＣＵ３０に指示するためのデータをサービスプロバイダー３２から受信することができる。
【００２２】
上述したように、トランシーバー５８が起動されている期間において、ＴＣＵ３０も、ネットワーク２２を介して、サービスプロバイダー３２に対してメンテナンスコールを発信することを指示するＳＭＳメッセージやコールバックシーケンスを、サービスプロバイダー３２に送信することができる。あるいは、ＴＣＵ３０は、サービスプロバイダー３２に対して直接メンテナンスコールを送信することもできる。しかしながら、ＴＣＵ３０からメンテナンスコールが送信される以前に、ＴＣＵ３０内のモデム６０はオンされている必要がある。
【００２３】
たとえイグニッションオフモードにおいて、車両が停止しているときであっても、セルラーネットワーク２２はノイズにより制限されるので、ネットワーク２２とＴＣＵ３０との間の接続状態が悪い場合がありえる。例えば、車両がネットワーク２２の周辺部に駐車された場合、ネットワーク２２のＲＦパラメータが変化したり、隣接チャンネルからの混信が増加したり、あるいはＴＣＵ３０の周囲の環境（例えばトラックが通信パスをブロックする）が変化して、ネットワーク２２とのデータ送信が適切に受信できない場合がある。接続状態が悪く、データ送信におけるすべての情報が適切に受信できないときには、ＴＣＵ３０のモデム６０は、動作状態を維持し、継続してその情報を受信もしくは送信しようとする。しかしながら、接続状態が悪いままであり、情報がタイムリーかつ適切に受信されないと、モデム６０は無期限にオンされたままとなってしまう。これは、電力の保存が重要であるイグニッションオフモードにおいて、損失を与えるものである。
【００２４】
モデムをオフして電力を節約する技術は、この技術分野において公知である。例えば、移動体への適用を考慮して設計されていないデータモデムにおいては、モデムが搬送音の消失を検出すると、節電のためモデムは即座にオフする。しかしながら、移動体に適用される場合には、セクター間及び基地局間のハンドオフの間、搬送音は短い時間間隔だけ失われる。この種のデータモデムが、移動体へ適用するために使用されたならば、ハンドオフごとにモデムはオフされ、接続が断たれてしまい、それは耐えがたい結果を招く。
【００２５】
その解決法が、音声帯データモデムの分野において知られている。例えば、ＵＳ特許番号Ｒｅ３４０３４は、搬送音がハンドオフの場合のようにすぐに復帰することに備えて、音声帯の搬送音の消失後、一定の時間間隔だけ音声帯データモデムを動作状態に維持することによって、この問題を解決しようとする。その一定の時間間隔内に搬送音が検出できなければ、そのとき、モデムがオフされる。
【００２６】
ＣＤＭＡセルラー通信システムは、ＣＤＭＡシステム標準によって確立されているようにフレームエラーレートカウンタを用いて、モデムの一種であるＣＤＭＡトランシーバーの作動停止を制御する。ＣＤＭＡシステムにおいては、データと音声が２０ｍｓのパケットもしくはフレームにおいて通信される。フレームが例えばハンドオフ、フェージング、あるいは他の干渉のために適切に受信されないならば、フレームエラーレートカウンタが適切に受信されないフレーム毎に、そのカウント値をインクリメントする。そのカウンタが、所定数の連続して受信できないフレームをカウントすると、モデムはオフされ接続が断たれる。
【００２７】
しかしながら、上述した解決法のいずれにおいても、一定の時間間隔の間、搬送音の消失が発生しない、もしくは所定数の連続したフレームの消失が発生しない断続的な接続の問題が、モデムの作動停止を引き起こすものではない。その結果、長い時間に渡ってモデムは作動状態となり、電力を消費することになる。それゆえ、電力消費量を低減するために、接続品質に係わらず、遠距離通信モデムの作動停止を制御するための方法及び装置が求められていた。
【００２８】
（発明の要約）
本発明の実施例は、電力消費量を低減するために、接続品質に係わらず、コール（呼び出し）の種類に基づいて遠距離通信モデムの作動停止を制御する。本出願においての作動停止とは、モデムをオフすることもしくはモデムを低消費電力状態に設定することを含むものである。本発明の実施例は、車両のイグニッションがオフされ電力源が制限される時に特に有効である。
【００２９】
自動車、船舶等の乗り物に搭載されるＴＣＵは、その乗り物にテレマティクス機能を提供するために、セルラー通信ネットワーク内において基地局／セクターと通信する。セルラー通信ネットワークを介してＴＣＵに接続されるサービスプロバイダーが、通常、このテレマティクス機能を提供する。本発明の１つの実施例においては、サービスプロバイダーはＴＣＵにメッセージを送信し、乗り物（車両）のイグニッションがオフされているときに、ＴＣＵがサービスプロバイダーにメンテナンスコールを開始するようにトリガを与える。一旦、接続が確立されると、コールの種類を同定するコール種類同定部が、メンテナンスコールメッセージ内において、ＴＣＵに伝達される。
【００３０】
コール種類同定部は、メンテナンスコールメッセージにおいてＴＣＵによって受信されるデータの最初のいくつかのフレームに含まれる。サービスプロバイダーがＴＣＵに送信する可能性があるいくつかのコール種類のために、それらのコール種類のいずれかの受信が完了され、さらにいくらかのマージンをプラスすると、どの程度の時間がかかるかの評価を前もって記憶している。この評価は、本出願では許容実行時間として言及される。もしくは、許容実行時間は、コール種類の同定部の受信に基づいてＴＣＵプロセッサーによって発生されることも可能であり、もしくはデータ送信の一部としてコール種類同定部とともにＴＣＵに伝達されることも可能である。特定のコール種類のメンテナンスコールがＴＣＵによって受信されたとき、ＴＣＵは、そのコール種類に対応した許容実行時間をコールタイマにセットする。許容実行時間が経過すると、メンテナンスタスクが完了されたか否かに係わらず、接続は切断され、かつモデムはオフされる。
【００３１】
上述したように、本発明の１実施例においては、許容実行時間の決定は、コール種類同定部の受信に依存する。ＴＣＵがメンテナンスコールメッセージを受信し始めたとき、ただし、コール種類同定部を受信する前においては、ＴＣＵは、コールタイマに、許容されるコール種類同定部の受信時間を示すデフォルト値をセットする。もしコールタイマがカウントを終了しても、コール種類が同定されないのであれば（すなわち、コール種類同定部が受信されない）、接続は切断され、モデムはオフされる。このデフォルトの許容コール種類同定部受信時間の目的は、メンテナンスコール接続が確立されたにも係わらず、コール種類同定部が適切に受信できない場合に、ＴＣＵのモデムが動作し続けることを防止することである。しかしながら、もしコールタイマがカウントを終了する前にコール種類が同定されたならば、コールタイマは、同定されたコール種類に対応する許容実行時間にリセットされ、メンテナンスコールが続行される。
【００３２】
本発明の１つの実施例においては、メンテナンスコールデータ送信が完了される前に、許容実行時間が経過し、モデムがオフされたならば、サービスプロバイダーは、ＴＣＵの認定の欠如によって早まって接続が終了されたもとの判断し、後に、新たなメンテナンスコールをトリガするための新たなメッセージを送信する。他の実施例においては、許容実行時間は、その許容実行時間を更新する専用のメンテナンスコールにおいて、ＴＣＵ内で更新することができる。それら２つの手法は許容実行時間の精密な調整を行ない得るものであり、メンテナンスコールデータ送信の最適化を可能とする。
【００３３】
本発明の実施例の、それらの及び他の特徴並びに利点については、図面及び添付のクレームが参照され、かつ本発明の実施例に関する以下の詳細な説明から当業者に明らかとなる。
【００３４】
（好ましい実施例の詳細な説明）
好ましい実施例の以下の説明において、発明が具現化されえる実施例が図を用いて示され、かつ本出願の一部を構成する添付図面が参照される。但し、他の実施例が利用されることは可能であるし、構成上の変更は、本発明の好ましい実施例の範囲を逸脱いない限り、なしえることが理解されるべきである。
【００３５】
さらに、実施例においての説明は、ＣＤＭＡ通信プロトコル（コードを利用したプロトコル）に関するものであり、その説明のため、フレームの送信のみについて記述するが、本発明の実施例は、他の通信プロトコル及び一般的なデジタル無線技術に適用されるものであり、また限定するものではないが、ＣＤＭＡ，ＡＭＰＳ，ＴＤＭＡ，ＦＤＭＡ，ＧＳＭ，ＧＰＲＳ等を含むものであることを理解すべきである。
【００３６】
自動車、船舶等の乗り物に搭載されるＴＣＵは、その乗り物にテレマティクス機能を提供するために、セルラー通信ネットワーク内において基地局／セクターと通信する。そのテレマティクス機能としては、限定するものではないが、車両の追跡及び位置の特定、オンラインナビゲーション、緊急時の路上アシスタンス、遠隔的なエンジンの診断、盗難車の追跡、娯楽的なサービス、情報サービス、インターネットやＥメールのアクセス、事故が発生したときの自動緊急通報、遠隔的なドアのアンロック操作、通話およびボイスメールサービス、交通情報の提供などを含む。通常、セルラー通信ネットワークを介してＴＣＵと接続されるサービスプロバイダーが、これらテレマティクス機能を提供する。
【００３７】
サービスプロバイダーとＴＣＵとは、イグニッションオンモードもしくはイグニッションオフモードにおいて、テレマティクス機能を提供するために通信することができる。イグニッションオンモードにおいては、イグニッションがオンされている間になされる車両のバッテリの再充電によって、通常、電源は問題とならない。そのため、ＴＣＵのモデムは、イグニッションがオンされている全期間に渡ってオンのままにすることができる。しかしながら、イグニッションオフモードにおいては、メンテナンスコールがＴＣＵによって受信されたとき、もしくはメンテナンスコールがＴＣＵから送信されたとき、ＴＣＵの電力消費が考慮される必要がある。それは、特に、従来のモデムの作動停止手法を用いてモデムの作動停止を行なうほどではない断続的な接続問題をＴＣＵが経験したときに、考慮されなければならない。そのような状況においては、サービスプロバイダーとＴＣＵとは、無期限にメンテナンスコールのデータ送信を完了させようとする場合があるが、それは断続的なエラーによって決して完了されない。この場合、モデムは、その無期限の時間間隔の間、オンのままとされ、電力を消費してしまう。そのため、本発明の実施例は、電力消費を低減するために、接続品質に係わらず、コール種類に基づいて遠距離通信モデムの作動停止を制御する。
【００３８】
本発明の１つの実施例においては、ＴＣＵが実行する可能性があるいくつかのメンテナンスコール（すなわち、コール種類）のために、ＴＣＵは、それらのコール種類のいずれかの受信が完了され、さらにいくらかのマージンをプラスすると、どの程度の時間がかかるか（すなわち、許容実行時間）の評価を前もって記憶しておく。従来のシステムとは異なり、この許容実行時間は、すべてのコール種類に対して同一ではなく、むしろコール種類に依存するものである。図５のＴＣＵのブロック図に図示されるように、それらの許容実行時間の値は、（例えばルックアップテーブル７０において）ＴＣＵのメモリ６８に記憶されることができ、メンテナンスコールのメッセージに含まれるコール種類同定部の受信に基づいて呼び出されたり、ＴＣＵによって事前に認識されたりすることができる。
【００３９】
本発明の１つの実施例において、サービスプロバイダーは、ＴＣＵにＳＭＳメッセージやコールバックシーケンスを送信することによってメンテナンスコールをトリガする。ＴＣＵは、メンテナンスコールのための接続要求を開始することによって応答する。このとき、ＴＣＵは、どの種類のメンテナンスコールが要求されているのかを認識しておらず、単に接続要求を開始することを認識しているだけであるかもしれない。この実施例においては、一旦、接続が確立されたならば、コール種類同定部が、メンテナンスコールメッセージの最初のいくつかのフレームの間に、サービスプロバイダーからＴＣＵに送信される。あるいは、ＴＣＵは、接続要求が開始された時点において、メンテナンスコールの種類をすでに認識していることも可能である。
【００４０】
本発明の他の実施例においては、ＴＣＵが、サービスプロバイダーにＳＭＳメッセージもしくはコールバックシーケンスを送信することによってメンテナンスコールをトリガする。サービスプロバイダーは、メンテナンスコールのための接続要求を開始することによって応答する。このとき、サービスプロバイダーは、どの種類のメンテナンスコールが要求されているのかを認識しておらず、単に接続要求を開始することを認識しているだけであるかもしれない。この実施例においては、ＴＣＵがメンテナンスコールをトリガした時点で、ＴＣＵは既にコール種類同定部を認識している。あるいは、コール種類同定部は、メンテナンスコールメッセージの最初のいくつかのフレームの間に、サービスプロバイダーからＴＣＵに送信される。
【００４１】
あるいは、ＴＣＵプロセッサーは、コール種類同定部の受信もしくは決定に基づいて、許容実行時間を発生することができる。例えば、コール種類Ａ，Ｂ，Ｃ，Ｄの好ましい許容実行時間がそれぞれ１，３，３，４秒であるならば、実行時間単位が０．５秒として定義され、かつコール種類同定部はそれぞれ２，６，７，８として選定される。すなわち、各コール種類同定部は、許容実行時間にできる限り近づくように、そのコール種類のための実行時間単位の適切な数を示すのである。この例は、以下の表１に示される。
【００４２】
【表１】
0004151462.tif 000002
【００４３】
コール種類同定部の受信または決定に基づいて、ＴＣＵプロセッサーは、そのコール種類同定部と記憶された実行時間単位（この実施例では０．５秒）とを乗算し、実際の許容実行時間を算出する。なお、コール種類Ｂ及びＣは同じ好ましい許容実行時間（３秒）を有しているが、コール種類同定部は固有のものである必要があるため、そのコール種類の１つ（この実施例ではコール種類Ｃ）に次に高いコール種類同定部（この実施例では７）が割り当てられ、その結果、実際の許容実効時間は３．５秒となる。また、実行時間単位を十分に小さく選定することによって、複数のコール種類が同じ好ましい許容実行時間を持っていたとしても、実際の許容実行時間を好ましい許容実行時間から大きくずらすことなく、固有のコール種類同定部が全てのコール種類に対して割り当てられる。
【００４４】
他の実施例においては、許容実行時間がメンテナンスコールメッセージの一部としてコール種類同定部とともに、ＴＣＵに伝達されても良い。
【００４５】
一旦、許容実行時間が、受信されたコール種類に対応して決定されると、ＴＣＵは、コールタイマをその許容実行時間にセットする。そして、許容実行時間が経過すると、メンテナンス機能が完了されていたか否かに係わらず、接続が切断され、かつモデムがオフされる。
【００４６】
上述したように、非デフォルトの許容実行時間の決定は、コール種類同定部の受信、さもなくばコール種類同定部の決定に依存する。ここで、本発明の実施例による、図６に示された１例としてのメンテナンスコールの時間列を参照する。図６において、最初のコール設定時間７４の後、ＴＣＵがメンテナンスコールメッセージを受信し始めたときであって、ただし、コール種類同定部を受信する前に、ＴＣＵは、時刻Ｔ１において、許容されるコール種類同定部受信時間を示すデフォルト値にコールタイマをセットする。７６で示される時間間隔の間に、コール種類同定部が送信される。もしコールタイマが時刻Ｔ２においてカウントを終了し、その時点でコール種類がまだ同定されていないならば（すなわち、コール種類同定部が受信されなかった）、接続は切断され、かつモデムはオフされる。このデフォルトの許容コール種類同定部受信時間の目的は、メンテナンスコール接続が確立されたにも係わらず、（低い接続品質や他の送信故障によって）コール種類同定部が受信されない場合に、ＴＣＵのモデムが動作し続けることを防止することである。しかしながら、もしコールタイマがカウントを終了する前にコール種類が同定されたならば、コールタイマは、時刻Ｔ２において同定されたコール種類に対応する許容実行時間にリセットされ、メンテナンスコールが続行される。７８で示される時間間隔の間に、同定されたコール種類のためのデータが送信される。データの送信は、通常、時刻Ｔ３までしか続かないが、許容実行時間は、７８の最初のデータ送信においていくつかのデータが失われた場合を考慮して、バッファ期間８０を与える。しかしながら、時刻Ｔ４において、許容実行時間は終了し、データ送信が完了されたか否かに係わらず、モデムは動作が停止される。
【００４７】
さらに、コールタイマがカウントを終了する前に（例えば、図６の時刻Ｔ３と時刻Ｔ４との間）１つのメンテナンスコールが完了されたならば、新たなコール種類の他のメンテナンスコールが開始され、コールタイマは、その際、その新たなコール種類に対応する許容実行時間にリセットされる。
【００４８】
上述したように、ＣＤＭＡセルラー通信システムは、フレームエラーレートカウンタを用いて通信リンクの作動停止を制御する。本発明の実施例においては、メンテナンスコールの許容実行時間が経過する前に、カウンタが所定のフレームエラーレートカウント値を超えた場合には、通信リンクは切断されるが、許容実行時間が経過するまではモデムは動作したままとなる。モデムを動作状態に維持することによって、ＴＣＵは新たなメンテナンスコールを処理することができるかもしれない。しかしながら、不完全なフレームがＴＣＵによって受信された場合であって、ただし、所定のフレームエラーレートカウント値を超えるほどではない場合、ネットワークは、ＴＣＵからの紛失認定メッセージによるそれらのフレームの喪失を検出することができ、それらの不完全なフレームのみを再送信する。さらに、フレームの再送信が長くかかるならば、もしくは稀にしか成功しないならば、メンテナンスコールデータ送信が良好に完了する前に、許容実行時間が経過し、モデムはオフされる。ここで、本発明は、フレームエラーレートカウンタ以外のメカニズムによって不完全な通信を検出し、かつ通信リンクを作動停止にする非ＣＤＭＡネットワークを含むことが理解されるべきである。いずれの場合においても、不完全なデータ処理によってメンテナンスコールが失敗であったとサービスプロバイダーが決定したならば、（所定の時間間隔が経過した後に）新たなメンテナンスコールが開始される。
【００４９】
本発明の１つの実施例では、許容実行時間もしくはＴＣＵに記憶された実行時間単位が、本明細書において許容実行時間更新メンテナンスコールと称される、許容実行時間を更新するための専用のメンテナンスコールによって更新されることができる。この手法は、新たなコール種類が追加されること、不使用となったコール種類が無視されること、及び許容実行時間の精密な調整を可能とする。
【００５０】
例えば、車両が、通常、地下駐車場に駐車されたり、データの不完全な受信や再送信が頻繁に生じる他の位置では、許容実行時間は、メンテナンスコールを良好に完了させるには不十分であるかもしれない。しかしながら、許容実行時間が延長されるならば、それらのメンテナンスコールを完了できる場合がありえる。本発明の１実施例では、コール完了測定基準もしくはコールタイマ測定基準を探知することによってメンテナンスコールの成功率が満足されないほど低いと判定した場合、許容実行時間更新メンテナンスコールを利用して許容実行時間もしくはＴＣＵに記憶される実行時間単位が更新され、増加される。増加された許容実行時間と予想される好結果のメンテナンスコールの増加とは、電力消費の犠牲の上で成り立つ。このため、サービスプロバイダーは、増加された許容実行時間に対する電力消費における増加分の見積もりと好結果のメンテナンスコールの増加割合との関係を探知し、許容実行時間の望ましい増加量を選定する。あるいは、ＴＣＵが、コール完了測定基準もしくはコールタイマ測定基準を探知することによってメンテナンスコールの不成功数が満足できるものではないと判定した場合、ＴＣＵは独自に許容実行時間もしくは実行時間単位を更新し、増加することができる。そして、ＴＣＵは、増加された許容実行時間に対する電力消費における増加分の見積もりと好結果のメンテナンスコールの増加割合との関係を探知し、許容実行時間の望ましい増加量を選定する。もしくは、サービスプロバイダーまたはＴＣＵが測定基準を用いて、電力消費を低減するために許容実行時間を減少させることも可能である。
【００５１】
本発明の他の実施例では、ＴＣＵの接続品質が１日の時間帯によって変動することをサービスプロバイダーが検出し、そのような接続品質の相違を考慮して、許容実行時間値を割り当てることもできる。例えば、車両が、日中は地下駐車場に駐車されるが、夜間は道路に駐車されることが通常である場合、サービスプロバイダーまたはＴＣＵは、メンテナンスコール接続は日中は不良であることが多いが（再送信の要求が多い）、夜間は改善されると判定する。従って、サービスプロバイダーは、１日の異なる時間帯において、特定のメンテナンスコールとともに異なる許容実行時間を送信したり、または、許容実行時間のいくつかのセットまたはいくつかの実行時間単位をＴＣＵに更新させるために、許容実行時間更新メンテナンスコールをＴＣＵに送信する。許容実行時間の各セットまたは各実行時間単位は特定の時間間隔に対応している。あるいは、ＴＣＵの接続品質が１日の時間帯によって変動することをＴＣＵが検出し、ＴＣＵは独自に許容実行時間のそれらのセットもしくはいくつかの実行時間単位を生成したり、更新したりすることができる。そのような実施例においては、ＴＣＵがコール種類同定部を受信したとき、ＴＣＵは、メンテナンスコールが受信された時点において、または新たなコール種類同定部が受信されたときはいつでも、相応しい許容実行時間のセットまたは実行時間単位にアクセスする。
【００５２】
本発明の更なる実施例では、サービスプロバイダー又はＴＣＵは、ＴＣＵの接続品質が、ＧＰＳデータによって確認される車両の位置に応じて変動することを検出し、そのような接続品質の相違を考慮して、許容実行時間値を選定することができる。例えば、車両が、日中は大都市地域に駐車されるが、夜間は田園地域に駐車されることが通常である場合、サービスプロバイダーまたはＴＣＵは、メンテナンスコール接続は大都市地域において大体において良好であるが、田園地域において不良であると判定する。従って、サービスプロバイダーは、車両の現在位置に依存して、特定のメンテナンスコールとともに異なる許容実行時間を送信したり、または、許容実行時間のいくつかのセットまたはいくつかの実行時間単位をＴＣＵに更新させるために、許容実行時間更新メンテナンスコールをＴＣＵに送信する。その許容実行時間の各セットまたは各実行時間単位は定められた特定の地理的なエリアに対応したものである。あるいは、ＴＣＵの接続品質が車両の現在位置によって変動することをＴＣＵが検出し、ＴＣＵは独自に許容実行時間のそれらのセットもしくはいくつかの実行時間単位を生成したり、更新したりすることができる。そのような実施例においては、ＴＣＵがコール種類同定部を受信したとき、ＴＣＵは、メンテナンスコールが受信された時点において、または新たなコール種類同定部が受信されたときはいつでも、車両の現在位置に相応しい許容実行時間のセットまたは実行時間単位にアクセスする。
【００５３】
本発明の更なる実施例では、サービスプロバイダー又はＴＣＵは、ＴＣＵの接続品質が、システムＩＤ（ＳＩＤ）またはネットワークＩＤ（ＮＩＤ）のいずれかによって確認されるネットワークに応じて変動することを検出し、そのような接続品質の相違を考慮して、許容実行時間値を選定することができる。例えば、車両の位置又はネットワーク資源の現在の利用可能性に依存して、ＴＣＵは通信リンクを完全なものとするために異なる基地局を利用することができる。それゆえ、サービスプロバイダーは、最新のＳＩＤまたはＮＩＤに依存して、特定のメンテナンスコールとともに異なる許容実行時間を送信したり、または、許容実行時間のいくつかのセットまたはいくつかの実行時間単位をＴＣＵに更新させるために、許容実行時間更新メンテナンスコールをＴＣＵに送信する。その許容実行時間の各セットまたは各実行時間単位は特定のＳＩＤまたはＮＩＤに対応したものである。あるいは、ＴＣＵの接続品質がＳＩＤまたはＮＩＤによって変動することをＴＣＵが検出し、ＴＣＵは独自に許容実行時間のそれらのセットまたはいくつかの実行時間単位を生成したり、更新したりすることができる。そのような実施例においては、ＴＣＵがコール種類同定部を受信したとき、ＴＣＵは、メンテナンスコールが受信された時点において、または新たなコール種類同定部が受信されたときはいつでも、現在のＳＩＤまたはＮＩＤに相応しい許容実行時間のセットまたは実行時間単位にアクセスする。
【００５４】
本発明の更なる実施例では、サービスプロバイダー又はＴＣＵは、ＴＣＵの接続品質が、ＴＣＵによって検出される無線インターフェースにおける受信された信号の強度に応じて変動することを検出し、そのような接続品質の相違を考慮して、許容実行時間値を選定することができる。例えば、車両の位置、ネットワーク資源の現在の利用可能性、もしくは無線インターフェースの現在のノイズ特性に依存して、ＴＣＵは、基地局から異なるレベルの強度を持つ信号を受信する。そのような受信された信号の強度に関する情報は、例えば、パイロット強度測定メッセージ（ＰＳＭＭ）によりＴＣＵからサービスプロバイダーに返送することができる。従って、サービスプロバイダーは、現在の受信された信号の強度に依存して、特定のメンテナンスコールとともに異なる許容実行時間を送信したり、または、許容実行時間のいくつかのセットまたはいくつかの実行時間単位をＴＣＵに更新させるために、許容実行時間更新メンテナンスコールをＴＣＵに送信する。その許容実行時間の各セットまたは各実行時間単位は，特定の受信された信号の強度レベルに対応したものである。あるいは、ＴＣＵの接続品質が受信された信号の強度によって変動することをＴＣＵが検出し、ＴＣＵは独自に許容実行時間のそれらのセットもしくはいくつかの実行時間単位を生成したり、更新したりすることができる。そのような実施例においては、ＴＣＵがコール種類同定部を受信したとき、ＴＣＵは、メンテナンスコールが受信された時点において、または新たなコール種類同定部が受信されたときはいつでも、現在の受信された信号の強度に相応しい許容実行時間のセットまたは実行時間単位にアクセスする。
【００５５】
本発明の更なる実施例では、サービスプロバイダー又はＴＣＵは、ＴＣＵの接続品質が、ＴＣＵによって設定された無線インターフェースの送信パワーに応じて変動することを検出し、そのような接続品質の相違を考慮して、許容実行時間値を選定することができる。例えば、車両の位置、ネットワーク資源の現在の利用可能性、もしくは無線インターフェースの現在のノイズ特性に依存して、ＴＣＵは、基地局に対して異なるレベルの送信パワーを設定することができる。そのような送信パワーレベルに関する情報は、例えば、制御チャンネルによりＴＣＵからサービスプロバイダーに送信することができる。従って、サービスプロバイダーは、現在の送信パワーレベルに依存して、特定のメンテナンスコールとともに異なる許容実行時間を送信したり、または、許容実行時間のいくつかのセットまたはいくつかの実行時間単位をＴＣＵに更新させるために、許容実行時間更新メンテナンスコールをＴＣＵに送信する。その許容実行時間の各セットまたは各実行時間単位は，特定の送信パワーレベルに対応したものである。あるいは、ＴＣＵの接続品質が送信パワーレベルによって変動することをＴＣＵが検出し、ＴＣＵは独自に許容実行時間のそれらのセットもしくはいくつかの実行時間単位を生成したり、更新したりすることができる。そのような実施例においては、ＴＣＵがコール種類同定部を受信したとき、ＴＣＵは、メンテナンスコールが受信された時点において、または新たなコール種類同定部が受信されたときはいつでも、送信パワーレベルに相応しい許容実行時間のセットまたは実行時間単位にアクセスする。
【００５６】
モデムの作動停止制御の概念について、一例としてセルラーネットワークに用いられる場合について説明したが、モデム作動停止制御の基本概念は、ページングシステム、衛星通信システム、コードレス電話システム、フリート通信システム等の他の無線プロトコルや技術への適用や拡張が可能である。その場合、不良なコールの再送信は、過度の時間に渡ってモデムが動作されたままとなり、その結果、過度の電力消費を招く。上述された基地局／セクターの概念は、中継機または異なるアンテナの多様な構成、コードレスを基礎とするもの、衛星もしくは他の電話等を包含するものである。また、上述されたＴＣＵの概念は、セルラー電話、ペイジャー、衛星電話、コードレス電話、フリートラジオ、無線端末装置等を包含むものである。
【００５７】
本発明は、添付図面を参照しながら、本発明の実施例との関連において十分に説明されたが、種々の変更や修正が当業者にとって明らかになった点に注意すべきである。そのような変更や修正は、本出願の各請求項によって定義される本発明の範囲に含まれるものと理解されるべきである。
【図面の簡単な説明】
【図１】無線通信システムにおいて、異なるセクター間を移動する、テレマティクスコントロールユニットを備えた車両とともにシステム環境の一例を示す説明図である。
【図２】一例としてのテレマティクスコントロールユニットのブロック図である。
【図３】一例としての、イグニッションオンモードでの緊急通信シーケンスのタイムチャートである。
【図４】一例としての、イグニッションオフモードでのテレマティクスコントロールユニットのトランシーバー作動停止シーケンスのタイミングチャートである。
【図５】本発明の実施例における、テレマティクスコントロールユニットのブロック図である。
【図６】本発明の実施例による、メンテナンスコール通信シーケンスのタイミングチャートである。
【図１】
0004151462.tif 000003
【図２】
0004151462.tif 000004
【図３】
0004151462.tif 000005
【図４】
0004151462.tif 000006
【図５】
0004151462.tif 000007
【図６】
0004151462.tif 000008